(57)【特許請求の範囲】
【請求項１】
雪が付着する前面に対して後方のＬＥＤ素子からの出射光を透過させる透明なパネルと、
前記パネルの外周に設けられた枠部と、
前記枠部に沿って等間隔に配置され、前記パネルおよび前記枠部を加振する振動発生機と、
を備えた着雪防止装置。
【請求項２】
前記パネルへの着雪を検出するセンサを更に備え、
前記振動発生機は前記センサの着雪検出により前記着雪を除去する請求項１記載の着雪防止装置。
【請求項３】
前記センサは、
前記パネルの後方に設けられた別の光源と、
前記別の光源からの光が前記パネルの前記前面の着雪により反射して戻った光を受光する前記パネルの後方に設けられた受光部とを有する請求項２記載の着雪防止装置。
【請求項４】
前記パネルおよび前記枠部が固定される筐体と、前記筐体内に設けられた温度センサとを更に備え、
前記振動発生機は、前記温度センサにより測定された温度が閾値温度以下になったときに作動する請求項１又は請求項２記載の着雪防止装置。
【請求項５】
信号灯器本体に設けられた複数のＬＥＤ素子と、
これらのＬＥＤ素子の前方に設けられ、雪が付着する前面に対して後方の前記ＬＥＤ素子からの出射光を透過させる透明なパネルと、
前記パネルの外周に設けられた枠部と、
前記枠部に沿って等間隔に配置され、前記パネルおよび前記枠部を加振する振動発生機と、
を備えた信号機。
【発明の詳細な説明】
【技術分野】
【０００１】
一実施形態は着雪防止装置および信号機に関する。
【背景技術】
【０００２】
積雪地では信号機に積もった雪で信号色が見えなくなることがないように人がブラシで信号灯器から雪を落とすなどの作業を必要としており、従来、信号灯器の庇上の雪を除雪する信号機の除雪装置が知られている（例えば特許文献１参照）。近年、信号灯器の光源には発熱電球からＬＥＤ（発光ダイオード）へと置換されてきており、ＬＥＤを信号灯器の光源に用いた信号機の着雪を防止する信号機構造が提案されている（例えば特許文献２参照）。
【先行技術文献】
【特許文献】
【０００３】
【特許文献１】特開２０００−２０７６８３号公報
【特許文献２】特開２０１５−０６９２７５号公報
【発明の概要】
【発明が解決しようとする課題】
【０００４】
しかし、ＬＥＤ素子を表示灯器光源に用いた信号機は、点灯色の視認性が損なわれる。白熱電球を用いた灯器の発熱量に比べてＬＥＤ灯器自体の発熱量は少ないため、吹雪などの横方向からの雪が灯器のパネルに付着しても雪が溶解しない。凍結した雪によって灯器の点灯色の視認性が著しく損なわれる。
【課題を解決するための手段】
【０００５】
このような課題を解決するため、一実施形態によれば、雪が付着する前面に対して後方のＬＥＤ素子からの出射光を透過させる透明なパネルと、パネルの外周に設けられた枠部と、枠部に沿って等間隔に配置され、パネルおよび枠部を加振する振動発生機と、を備えた着雪防止装置が提供される。
【０００６】
また、他の一実施形態によれば、信号灯器本体に設けられた複数のＬＥＤ素子と、これらのＬＥＤ素子の前方に設けられ、雪が付着する前面に対して後方の前記ＬＥＤ素子からの出射光を透過させる透明なパネルと、パネルの外周に設けられた枠部と、枠部に沿って等間隔に配置され、パネルおよび枠部を加振する振動発生機と、を備えた信号機が提供される。
【図面の簡単な説明】
【０００７】
【図１】（ａ）は第１実施形態に係る着雪防止装置を含む信号機の正面図であり、（ｂ）は第１実施形態に係る着雪防止装置の縦断面構造を示す図である。
【図２】第１実施形態に係る着雪防止装置の正面図である。
【図３】第１実施形態に係る着雪防止装置の斜視図である。
【図４】第１実施形態に係る着雪防止装置の断面図である。
【図５】第２実施形態に係る着雪防止装置の縦断面構造を示す図である。
【図６】第２実施形態に係る着雪防止装置の着雪検出を主体にした制御系のブロック図である。
【図７】第２実施形態に係る着雪防止装置のセンサによる着雪がないときの送受光の光軸例を示す図である。
【図８】第２実施形態に係る着雪防止装置のセンサよる着雪があるときの送受光の光軸例を示す図である。
【図９】第２実施形態の第１変形例に係る着雪防止装置のセンサによる着雪があるときの送受光の光軸例を示す図である。
【図１０】第２実施形態の第２変形例に係る着雪防止装置のセンサによる着雪がないときの送受光の光軸例を示す図である。
【図１１】第２実施形態の第２変形例に係る着雪防止装置のセンサによる着雪があるときの送受光の光軸例を示す図である。
【図１２】（ａ）は第３実施形態に係る着雪防止装置を含む案内装置の斜視図であり、（ｂ）は第３実施形態に係る着雪防止装置を含むサインボードの斜視図である。
【発明を実施するための形態】
【０００８】
以下、実施の形態に係る着雪防止装置および信号機について、図１乃至図１２を参照しながら説明する。尚、各図において同一箇所については同一の符号を付すとともに、重複した説明は省略する。
【０００９】
（第１実施形態）
図１（ａ）は第１実施形態に係る着雪防止装置を含む信号機の正面図である。図１（ｂ）は第１実施形態に係る着雪防止装置の縦断面構造を示す図であり、図１（ａ）の灯器３を側方から見た縦断面を示す。これらの図中、同じ符号は互いに同じ要素を表す。
【００１０】
信号機１は交差点の縦型３灯式の交通信号機であり、各信号色を表す灯器３を縦方向に３個配置している。信号機１は、信号灯器本体側の筐体１１と、この筐体１１に設けられた複数のＬＥＤ素子１２と、これらのＬＥＤ素子１２の前方に設けられ雪が付着するパネル前面に対して後方のＬＥＤ素子１２からの出射光を透過させる灯器パネル１３（パネル）と、この灯器パネル１３の外周に設けられた枠部１４と、この枠部１４に設けられそれぞれ灯器パネル１３を加振する複数の振動発生機１５とを備えている。
【００１１】
また、着雪防止装置１０はこの信号機１に一体に設けられており、パネル前面に対して後方のＬＥＤ素子１２からの出射光を透過させる灯器パネル１３と、この灯器パネル１３の外周に設けられた枠部１４と、この枠部１４に設けられた複数の振動発生機１５とを備えている。
【００１２】
筐体１１は前方即ち同図左方に空間を有し、この空間に回路基板１６を設けた灯箱である。ＬＥＤ素子１２はこの回路基板１６によって点灯が制御される表示灯器光源である。複数のＬＥＤ素子１２は回路基板１６上の円板領域に設けられており、水平方向で前方から見たときに、点灯によって丸い灯器発光形状を表示する。筐体１１の前方には灯器３毎に庇（フード）２が取り付けられている。筐体１１は道路脇の信号柱から水平に延設された腕金（アーム）によって道路の上方に張り出して設置され、３個の灯器３を灯箱に一体化している。
【００１３】
図２は着雪防止装置１０の正面図である。図３は着雪防止装置１０の斜視図である。図４は着雪防止装置１０の縦断面図である。同図は図２のＡＡ´に沿う部分的な縦断面構造を表しており、庇２を省略して表示している。既述の符号はそれらと同じ要素を表す。灯器パネル１３は合成樹脂製の円形平板である。灯器パネル１３はＬＥＤ素子１２からの光を遮らないで、振動可能な材料でできており、例えば、アクリルやポリカーボネイト等の樹脂材料でできている。
【００１４】
図２から図４のように枠部１４はこの灯器パネル１３をその周縁部により筐体１１に固定する円筒リング状のフレームである。枠部１４は、ネジ孔６３へのネジ止め６５により筐体１１に供締めされるフランジ状の第１フレーム６６と、灯器パネル１３よりも径大な円筒状の第２フレーム６７とを有する。この第１フレーム６６に複数の振動発生機１５が周方向に等角的（図２）に固定されている。これらの振動発生機１５に灯器パネル１３の裏面が接着剤などで固定されており、振動発生機１５の振動によって灯器パネル１３に振動が加えられるようになっている。枠部１４は例えばアルミニウムダイキャスト製を用いることができる。振動発生機１５には例えば圧電素子、小型モータ及び偏心カム等が用いられる。
【００１５】
更に図４のように着雪防止装置１０は、振動発生機１５毎に灯器パネル１３のパネル前面及びパネル裏面にそれぞれパッキン６４を設けており、これらのパッキン６４は空間６８を仕切り、振動発生機１５を密閉している。そしてこれらの灯器パネル１３の周縁部及び振動発生機１５を覆うように第２フレーム６７が図示しないネジ等で第１フレーム６６（又は筐体１１）に固定され着雪防止装置１０が形成されている。つまり着雪防止装置１０は枠部１４により灯器パネル１３の周縁部全周を、密閉性を保ちながら支持し、ＬＥＤ素子１２を外部から閉ざしており、外気から雪、水、塵埃が空間７０を通ってＬＥＤ素子１２側に浸入しないようになっている。
【００１６】
次に上述の構成の着雪防止装置１０及び信号機１（図１）の動作について説明する。通常時、信号機１は図示しない３つの灯器の点灯、消灯及び点滅により交通案内をする。各信号色は良好に確認可能である。降雪時、無風あるいは風が弱い間、灯器パネル１３に雪が当たっても、雪はそのパネル面には付着しない。
【００１７】
一方、風雪が激しくなって水平方向からの雪が灯器パネル１３に吹き付けられると、雪がパネル面に付着する。着雪防止装置１０は信号機１にＬＥＤ素子１２を外部から保護するように設置されており、着雪防止装置１０が振動発生機１５を加振することで、枠部１４が振動する。枠部１４に振動可能な状態で固定された灯器パネル１３が振動する。灯器パネル１３が振動することで、着雪防止対象の雪Ｓが振るい落とされる。
【００１８】
このように、着雪防止装置１０は信号機１の灯器３を覆う灯器パネル１３に雪Ｓが付着することを防止できる。着雪防止装置１０は灯器パネル１３の枠部１４に設けられた振動発生機１５によって灯器パネル１３を振動させ振動によりパネルに雪が付着するのを防止する。
【００１９】
ＬＥＤ素子１２は数十Ｗの白熱電球の発熱量に比べて少ない発熱量を持つ。着雪防止装置１０によれば、ＬＥＤ素子１２を信号灯器光源に用いても、吹雪などの横方向からの雪が灯器パネル１３に付着しない。雪がパネル面に付着しないため、灯器パネル１３に凍結した雪によって灯器３の点灯色の視認性が損なわれることが生じなくなる。人が信号機１に積もる雪を除去する作業が減る。あるいは作業負担が軽減する。
【００２０】
（第２実施形態）
着雪防止装置１０を常時稼働すると不要な電力を消費するため、必要に応じて着雪防止装置１０を稼働させる必要がある。第２実施形態に係る着雪防止装置は着雪を検出する手段を有する。
【００２１】
図５は第２実施形態に係る着雪防止装置の縦断面構造を示す図である。図５中、既述の符号は図１〜図４中の要素と同じ要素を表す。
【００２２】
着雪防止装置１７（第２実施形態に係る着雪防止装置）は、灯器パネル１３への着雪をそれぞれ検出する複数の着雪検出センサ１８（センサ）を更に備えており、これらの振動発生機１５は着雪検出センサ１８の着雪検出により着雪を除去する。複数の着雪検出センサ１８は、ＬＥＤ素子１２が設けられた回路基板１６上の円板領域内に、ＬＥＤ素子１２間に回路基板１６に実装される。ＬＥＤ素子１２の間の実装とは、例えば着雪検出センサ１８が円板領域内で中心軸を通る上下方向に等間隔に配置されることを指す。あるいはＬＥＤ素子１２の間の実装とは、円板領域内に複数の着雪検出センサ１８が適度な密度で分布して実装されることを指す。着雪検出センサ１８には反射型センサが用いられる。
【００２３】
図６は第２実施形態に係る着雪防止装置の着雪検出を主体にした制御系のブロック図である。既述の符号は図１〜図４中の要素と同じ要素を表す。制御系５０は、複数の振動発生機１５と、複数の着雪検出センサ１８と、温度センサ２１と、タイマー２２と、これらの振動発生機１５及び着雪検出センサ１８等に電気的に接続された制御部３０とを備えている。
【００２４】
着雪検出センサ１８は、灯器パネル１３の後方に設けられた投光部（別の光源）１９と、この投光部１９からの光が灯器パネル１３のパネル前面の着雪により反射して戻った光を受光する灯器パネル１３の後方に設けられた受光部２０とを有する。投光部１９は主にＬＥＤ素子からなり、出射光の光軸が灯器パネル１３を向くようにこのＬＥＤ素子の向きが予め調整されている。受光部２０はフォトダイオード（ＰＤ）である。このフォトダイオードの向きについても、灯器パネル１３のパネル前面において反射された光と、パネル裏面において反射された光とのそれぞれを受光できるように予め受光軸が調整されている。図５中の他の着雪検出センサ１８も何れも図６の例と同じ構成を有する。
【００２５】
換言すれば着雪検出センサ１８は、灯器パネル１３内部側に設けられた表示灯器光源とは別の投光光源部（投光部１９）と、投光光源部からの光が灯器パネル１３外部の着雪に反射して戻ってきた反射光を受光する灯器パネル１３内部側に設けられた受光部２０とからなる反射型センサである。
【００２６】
温度センサ２１は筐体１１又は枠部１４に設けられ、外気温、回路基板１６上あるいは枠部１４内の環境温度を測定する。タイマー２２は振動発生機１５を設定時間おきに起動させる通知信号を発生させる。制御部３０は例えば温度閾値、加振条件、振動時間長、振動間隔、振動量の大きさ等の設定値を保持しており、各着雪検出センサ１８との間で制御信号を送受信する。制御部３０の機能はＣＰＵ、ＲＯＭ、ＲＡＭによるソフトウェアにより実行される。制御部３０は回路基板１６上にあるいは筐体１１、信号機１や交通信号制御機に実装される。
【００２７】
着雪防止装置１７および本実施形態に係る信号機はそれぞれこれら以外の点について、特に断らない限り、上記着雪防止装置１０および信号機１の構成と実質的に同じ構成を有する。
【００２８】
次に第２実施形態に係る着雪防止装置（図５、図６）の動作について説明する。
【００２９】
タイマー２２は予め設定された時間間隔で制御部３０に通知信号を送る。制御部３０はこの通知信号によって振動発生機１５を起動する。制御部３０は振動発生機１５を設定時間長さだけ動作させると、振動発生機１５を休ませる。また、制御部３０は温度センサ２１により測定された外気温度などをモニタし、この温度が閾値温度以下になると振動発生機１５を作動させる。
【００３０】
タイマー２２及び温度センサ２１からの出力や交通信号制御機からの天候変動を表す信号により、晴天の通常時あるいは季節に応じて、制御部３０は着雪防止装置１７の振動発生機１５を動作させない。雪が降ると、制御部３０は複数の着雪検出センサ１８を動作させる。制御部３０が着雪検出センサ１８に駆動電流を供給すると、全ての投光部１９から光が出射される。
【００３１】
図７は第２実施形態に係る着雪防止装置の着雪検出センサ１８による着雪がないときの送受光の光軸例を示す図であり、図５の一部を拡大して示す。既述の符号は図１〜図６中の要素と同じ要素を表す。
【００３２】
図７に示すように、灯器パネル１３に雪などの異物が付着していない場合、反射して受光部２０に帰ってくる光は灯器パネル１３のパネル表面、パネル裏面で反射した光のみであり微弱である。着雪検出センサ１８の投光部１９から出射された光のうちの大部分の光量の光が灯器パネル１３を透過する。また、灯器パネル１３のパネル前面及び外気間の境界面と、そのパネル裏面及び外気間の境界面とでそれぞれ各投光部１９からの出射光が反射する。複数の投光部１９による反射光が合成された光が一つの受光部２０に入射する。複数の受光部２０からの受光電流によって制御部３０は受光強度が微弱であることを判定する。
【００３３】
図８は第２実施形態に係る着雪防止装置の着雪検出センサ１８による着雪Ｓがあるときの送受光の光軸例を示す図である。既述の符号は図１〜図７中の要素と同じ要素を表す。同図に示すように、灯器パネル１３に雪などの異物が付着した場合、雪などに反射した光が受光部２０に帰ってくる。制御部３０は第１の時点（着雪がないとき）の受光強度を通常時の閾値として記憶しておく。制御部３０は第２の時点（着雪があるとき）に検出された反射光の受光強度とこの閾値とを比較する。第１の時点での受光強度が第２の時点での受光強度よりも小さければ、制御部３０は雪が付着していないか、あるいは雪が付着していても付着量は微かであると判断する。第１の時点での受光強度が第２の時点での受光強度よりも大きい場合、制御部３０は、灯器パネル１３のパネル表面及びパネル裏面で反射した光が第１の時点での反射光より強く現れたと判断する。制御部３０は雪や異物が灯器パネル１３に付着したことを検知することができる。制御部３０は複数の振動発生機１５を加振し灯器パネル１３が振動する。灯器パネル１３が振動することで、着雪防止対象の雪Ｓが落とされる。
【００３４】
この実施形態に係る着雪防止装置によれば、振動発生機１５を常時稼働せずに着雪検知によって灯器パネル１３を振動させるため、不要な電力を消費せずに済む。
【００３５】
また、反射防止コーティングを施した灯器パネル１３を着雪防止装置１７に設けることによって、着雪検出センサ１８のＳ／Ｎ比を大きくすることができ、制御部３０が検知する誤差を少なくすることができる。
【００３６】
（第２実施形態の第１変形例）
第２実施形態に係る着雪防止装置は着雪を検知する手段として別の手段を用いてもよい。以下、特に断らない限り、第１変形例に係る着雪防止装置および信号機はそれぞれ上記着雪防止装置１７（図５）および信号機１（図１）の構成と実質的に同じ構成を有する。
【００３７】
図９は第２実施形態の第１変形例に係る着雪防止装置の着雪検出センサによる着雪があるときの送受光の光軸例を示す図である。既述の符号は図１〜図６中の要素と同じ要素を表す。
【００３８】
着雪を検知する手段の２つ目の実施例では、着雪防止装置１７は、灯器パネル１３の後方にこの灯器パネル１３への着雪をそれぞれ検出する複数の着雪検出センサ２４（同図では１つだけを表示している）を備えている。着雪検出センサ２４は灯器パネル１３の内部側に設けられた受光センサであり、ＬＥＤ素子１２からの光が灯器パネル１３の外部、即ちパネル前面の着雪に反射して戻ってきた反射光を受光する。着雪検出センサ２４は主に受光部２８（フォトダイオード）からなる受光センサであり、ＬＥＤ素子１２間に回路基板１６に実装されている。
【００３９】
このような構成の第２実施形態の第１変形例に係る着雪防止装置（図９）においてはＬＥＤ素子１２が投光部の役割を果たしており、受光部が着雪検出センサ２４（受光センサ）の役割を果たしており、１つ目の実施例（図５〜図８）と同様の方法によって着雪を検出する。制御部３０は着雪がない通常時の受光強度を通常時の閾値として記憶しておく。降雪時、制御部３０は着雪検出センサ２４により検出された反射光の受光強度と、この閾値との比較により、灯器パネル１３のパネル表面及びパネル裏面で反射した光の受光強度が、着雪がないときの受光強度よりも大きいことを検出し、制御部３０は着雪Ｓ（図９）を検知できる。
【００４０】
（第２実施形態の第２変形例）
更に着雪を検知する手段として別の手段を用いてもよい。上記第２実施形態及び第１変形例では反射光を用いた着雪検知が用いられていたが、第２変形例に係る着雪防止装置は透過光で着雪を検知する。
【００４１】
図１０は第２実施形態の第２変形例に係る着雪防止装置の着雪検知センサによる着雪がないときの送受光の光軸例を示す図であり、着雪防止装置３１の縦断面構造を示している。既述の符号は図１〜図９中の要素と同じ要素を表す。
【００４２】
着雪を検知する手段の３つ目の実施例では、着雪防止装置３１は、筐体１１内部側に設けられＬＥＤ素子１２とは別の複数の投光光源部２７と、灯器パネル１３外部側に設けられた受光部２６とを備えている。投光光源部２７には例えばレーザダイオード（ＬＤ）が用いられる。これらの投光光源部２７は、灯器パネル１３の後方において回路基板１６上の円板領域内にＬＥＤ素子１２間にそれぞれ回路基板１６に実装される。受光部２６は灯器パネル１３の前方に設けられたフォトダイオードである。フォトダイオードは受光方向を灯器パネル１３側に向けた状態で、庇２の下面側に設けられている。フォトダイオードの設置位置は種々変更可能である。
【００４３】
これら以外の構成について、着雪防止装置３１およびこの変形例の信号機はそれぞれ上記着雪防止装置１７（図５）および信号機１（図１）の構成と実質的に同じ構成を有する。
【００４４】
このような構成の着雪防止装置３１（図１０）では、通常時、着雪がないと、投光光源部２７から出射された光のうち、灯器パネル１３の材質の光透過率、温度、光波長によって決まる大部分の光量の光がこの灯器パネル１３を透過する。図１０に示すように、灯器パネル１３に雪などの異物が付着していない場合、制御部３０は受光部２６が受光する光の受光強度に変化はないと判断する。
【００４５】
図１１は第２実施形態の第２変形例に係る着雪防止装置の着雪検知センサによる着雪Ｓがあるときの送受光の光軸例を示す図である。既述の符号は図１〜図１０中の要素と同じ要素を表す。降雪で灯器パネル１３に雪などの異物が付着すると、投光光源部２７から出射された光のうち、着雪で遮られた光量の光が受光部２６に到達する。雪などで透過光量が減った光が受光部２６に届く。図１１のように灯器パネル１３に雪Ｓなどの異物が付着した場合、受光部２６が受光する光の強度が弱まり、制御部３０は異物が付着したことを検知することができる。制御部３０は受光部２６による透過光の受光強度が、着雪がないときの透過光の受光強度（図１０）に比べて弱いことの検出により着雪Ｓを検知できる。
【００４６】
また、制御部３０は、投光光源部２７を一斉に発光させるのではなく、順次発光させてもよい。例えば投光光源部２７が上下一列に配置されている場合、制御部３０は最も上の投光光源部２７を発光させ残りの投光光源部２７を消灯させたままとし、最上の投光光源部２７が発光したときの受光部２６の受光強度を記憶する。続いて最上から一つ下がった位置の投光光源部２７だけを発光させ残りの投光光源部２７を消灯させたときの受光部２６の受光強度を記憶する。制御部３０は先に記憶した受光強度と次に記憶した受光強度とを比較し変化の度合いが予め決めた閾値を超えるかどうかを判定する。同様に制御部３０は一つずつ投光光源部２７の発光の順番を上から下にずらし、それぞれの順番において受光部２６の受光強度の変化の度合いが閾値を超えるかどうかを判定する。このように着雪防止装置３１は投光光源部２７の発光の順番をずらして受光強度を比較することで、異物が付着した場所を特定することができる。また、投光光源部２７には指向性を持った光を発生させた方がより検出精度が向上する。レーザダイオードを用いることで指向性を持った光を発光させることができ、この変形例に係る着雪防止装置は着雪の検出精度を高めることができる。
【００４７】
（第３実施形態）
実施の形態に係る着雪防止装置は、道路標識板、案内や広告用の電光表示板に用いてもよい。着雪防止装置１０は道路上の案内装置及びサインボードに用いてもよい。
【００４８】
図１２（ａ）は第３実施形態に係る着雪防止装置を含む案内装置の斜視図である。案内装置２３は上記着雪防止装置１０、着雪防止装置１７、着雪防止装置３１の何れかを設けたものであり、情報表示光源に上記ＬＥＤ素子１２を有する。上記灯器パネル１３がこの案内装置２３の表示パネルとして機能する。
【００４９】
これにより、横からの吹雪が発明した天候になっても、案内装置２３の表示パネル上の着雪は振動によって振るい落とされ、道路を走行する車両に乗車のドライバへの視認性が降雪時でも確保される。法定速度や、通行止めなどの道路案内情報がドライバへ周知される。
【００５０】
図１２（ｂ）は第３実施形態に係る着雪防止装置を含むサインボードの斜視図である。サインボード２５はＬＥＤ素子１２を表示光源に用いた表示機器であり、上記着雪防止装置１０、着雪防止装置１７、着雪防止装置３１の何れかを設けている。このサインボード２５も灯器パネル１３を表示パネルに用いている。
【００５１】
これにより、吹雪でも、店舗の外に設けられたサインボード２５は、店舗の営業案内を表示する。このサインボード上の表示パネルの着雪は加振によって取り除かれ、視認性が降雪時でも確保される。人が着雪を落とす必要がなくなる。
【００５２】
また、上記の各実施形態において、信号機１は灯器３の配置を縦方向にした縦型のほかに灯器３を横方向に配置した横型でもよく、灯器３の個数は２個あるいは４個以上でもよい。信号機１は、信号灯器のほかに矢印灯器であってもよく、信号灯器及び矢印灯器を両方設けてもよい。
【００５３】
着雪防止の名称と異なる名称として、例えば着氷防止、防雪、除雪、霜取りなど実施形態に係る着雪防止装置は種々言い換えることができる。
【００５４】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５５】
１…信号機、２…庇、３…灯器、１０、１７、３１…着雪防止装置、１１…筐体、１２…ＬＥＤ素子、１３…灯器パネル（パネル）、１４…枠部、１５…振動発生機。
【図１】
0006734115.tif 000002
【図２】
0006734115.tif 000003
【図３】
0006734115.tif 000004
【図４】
0006734115.tif 000005
【図５】
0006734115.tif 000006
【図６】
0006734115.tif 000007
【図７】
0006734115.tif 000008
【図８】
0006734115.tif 000009
【図９】
0006734115.tif 000010
【図１０】
0006734115.tif 000011
【図１１】
0006734115.tif 000012
【図１２】
0006734115.tif 000013